(57)【要約】  物質吐出用ディスペンサについてのディスペンサの機能性を評価するための１つ以上の技術及び／又はシステムを提供する。一例では，ディスペンサの無負荷電気的特性及び／又は負荷電気的特性を測定して，これを評価することで，吐出事象を実行するかどうか決定することができる。他の例では，吐出事象中に，ピーク電流などの電流測定値を測定することができる。機械的停止，歯車列の問題，アクチュエータの問題，ポンプの問題（例えば，ポンプの詰まり），機械的障害，及び／又は他の問題などの問題が存在するかどうか確認するために，電流測定値を評価することができる。このような情報を収集して，履歴データとして保存し，さらに／又は次の吐出事象を実行するかどうか決定するために利用することができる。【選択図】図１
2017507775.tif 000002
【特許請求の範囲】
【請求項１】
物質吐出用ディスペンサについてのディスペンサの機能性を評価するための方法であって，
ディスペンサの無負荷電気的特性を測定することと，
前記無負荷電気的特性が第１の無負荷閾値よりも高いことに応じて，吐出事象を実行することと，
前記無負荷電気的特性が前記第１の無負荷閾値と第２の無負荷閾値の間であることに応じて，
前記ディスペンサの負荷電気的特性を測定することと，
前記負荷電気的特性が負荷閾値よりも高いことに応じて，前記吐出事象を実行することと，
前記負荷電気的特性が前記負荷閾値よりも低いことに応じて，吐出事象の実行を控えることとを含む方法。
【請求項２】
前記負荷電気的特性を測定することであって，
駆動列モータ負荷の両端の負荷電流又は負荷電圧の少なくとも一方を測定することを含む請求項１記載の方法。
【請求項３】
前記負荷電気的特性を測定することであって，
前記ディスペンサの駆動列及びモータとは別の負荷の両端の負荷電流又は負荷電圧の少なくとも一方を測定することを含む請求項１記載の方法。
【請求項４】
前記ディスペンサについての吐出事象評価データを特定することと，
該ディスペンサについてのディスペンサ動作データを特定するために，前記負荷電気的特性を前記吐出事象評価データに対して評価することと，
前記ディスペンサ動作データが吐出事象問題を示していないことに応じて，前記吐出事象を実行することと，
前記ディスペンサ動作データが吐出事象問題を示していることに応じて，吐出事象の実行を控えることと
を含む請求項１記載の方法。
【請求項５】
前記負荷電気的特性が前記負荷閾値よりも低いことに応じて，警報を提供することを含む請求項１記載の方法。
【請求項６】
前記吐出事象の第１の期間中に，
第１のピーク電流を測定することと，
前記ディスペンサに関連した機械的な問題を特定するために，前記第１のピーク電流を評価することと
を含む請求項１記載の方法。
【請求項７】
前記機械的な問題は，機械的停止，歯車列の問題，アクチュエータの問題，ポンプの問題，又は機械的障害のうちの少なくとも１つを含む請求項６記載の方法。
【請求項８】
前記機械的な問題に基づいて，前の吐出事象評価データを生成すること，又は，
前記機械的な問題の警報を提供すること
のうちの少なくとも一方を含む請求項６記載の方法。
【請求項９】
前記吐出事象の第２の期間中に，
第２のピーク電流を測定することと，
前記ディスペンサに関連したポンプの問題を特定するために，前記第２のピーク電流を評価することと
を含む請求項１記載の方法。
【請求項１０】
最後の吐出測定基準（metric）からの時間を特定することと，
前記ディスペンサについてのディスペンサ動作データを特定するために，前記負荷電気的特性及び最後の吐出測定基準からの前記時間を評価することと，
前記ディスペンサ動作データが吐出事象問題を示していないことに応じて，前記吐出事象を実行することと，
前記ディスペンサ動作データが吐出事象問題を示していることに応じて，前記吐出事象の実行を控えることとを含む請求項１記載の方法。
【請求項１１】
前記吐出事象中に，
該吐出事象についての電流特性データを生成するために，ピーク電流測定基準及びピーク電流期間測定基準を測定することと，
前記電流特性データに基づいて，該吐出事象についてのバッテリ状態を特定することと，
前記バッテリ状態が吐出電力測定基準よりも低いことに応じて，
前記バッテリ状態に基づいて，前の吐出事象評価データを生成すること，又は，
前記バッテリ状態の警報を提供すること
のうちの少なくとも一方を含む請求項１記載の方法。
【請求項１２】
前記ディスペンサについての吐出事象評価データを特定することと，
前記吐出事象評価データに基づいて，前記第１の無負荷閾値，前記第２の無負荷閾値，又は前記負荷閾値のうちの少なくとも１つを調整することと
を含む請求項１記載の方法。
【請求項１３】
物質吐出用ディスペンサについてのディスペンサの機能性を評価するためのシステムであって，
吐出前評価コンポーネントを備え，該吐出前評価コンポーネントは，
ディスペンサの無負荷電気的特性を測定し，
前記無負荷電気的特性が第１の無負荷閾値よりも高いことに応じて，吐出事象を実行し，
前記無負荷電気的特性が前記第１の無負荷閾値と第２の無負荷閾値の間であることに応じて，
前記ディスペンサの負荷電気的特性を測定し，
前記負荷電気的特性が負荷閾値よりも高いことに応じて，前記吐出事象を実行し，
前記負荷電気的特性が前記負荷閾値よりも低いことに応じて，前記吐出事象の実行を控えるように構成されているシステム。
【請求項１４】
吐出評価コンポーネントを備え，該吐出評価コンポーネントは，
前記吐出事象の第１の期間中に，
第１のピーク電流を測定し，
前記ディスペンサに関連した機械的な問題を特定するために，前記第１のピーク電流を評価するように構成されている請求項１３記載のシステム。
【請求項１５】
吐出評価コンポーネントを備え，該吐出評価コンポーネントは，
前記吐出事象の第２の期間中に，
第２のピーク電流を測定し，
前記ディスペンサに関連したポンプの問題を特定するために，前記第２のピーク電流を評価するように構成されている請求項１３記載のシステム。
【請求項１６】
前記吐出前評価コンポーネントであって，
前記ディスペンサについての吐出事象評価データを特定し，
前記吐出事象評価データに基づいて，前記第１の無負荷閾値，前記第２の無負荷閾値，又は前記負荷閾値，のうちの少なくとも１つを調整するように構成されている請求項１３記載のシステム。
【請求項１７】
物質吐出用ディスペンサについてのディスペンサの機能性を評価するための方法であって，
ディスペンサの吐出事象についての予想電流を，該ディスペンサの無負荷電圧に基づいて決定することと，
該ディスペンサの現在の吐出事象の電流測定値を取得することと，
該ディスペンサの動作特性を特定するために，前記電流測定値を前記予想電流に対して評価することと，
前記動作特性を提示することとを含む方法。
【請求項１８】
前記動作特性は，前記ディスペンサで使用するポンプのタイプ，詰め替え容器が空であることを示す前記現在の吐出事象中の枯渇したポンプ，該ディスペンサでリストリクタを使用していること，又はトランジスタの動作状態のうちの少なくとも１つに対応している請求項１７記載の方法。
【請求項１９】
前記動作特性を提示することであって，
前記動作特性のサービス警報を，ネットワークを介してコンピュータデバイスに送信すること，又は，
前記動作特性の前記サービス警報を，無線通信信号を用いて前記コンピュータデバイスに送信すること
のうちの少なくとも一方を含む請求項１７記載の方法。
【請求項２０】
前記動作特性を提示することであって，
ウェブサイト，前記ディスペンサを表すディスペンサユーザインタフェース要素が表示されるマップ，又はアプリケーションユーザインタフェース，のうちの少なくとも１つによって，前記動作特性のサービス警報を表示することを含む請求項１７記載の方法。
【発明の詳細な説明】
【発明の詳細な説明】
【０００１】
関連出願
本出願は，「DISPENSER  FUNCTIONALITY  EVALUATION（ディスペンサの機能性評価）」という名称で２０１４年１月１５日に出願された米国仮特許出願第６１／９２７，６０９号の優先権を主張するものであり，この文献は，参照により本明細書に組み込まれる。
【技術分野】
【０００２】
本出願は，広くは，液状，粉状，エアゾール状，又は他のタイプの物質などの物質を吐出するためのディスペンサに関する。例えば，本出願は，ディスペンサのバッテリ寿命，障害，及び／又はその他の動作状態を評価するための方法及び／又はシステムに関するものである。
【背景技術】
【０００３】
病院，工場，レストラン，住宅など，多くの場所で，物質を吐出するためのディスペンサを利用する。例えば，ディスペンサで，液状物質，粉状物質，エアゾール状物質，及び／又は他の物質（例えば，ソープ，抗菌ジェル，クレンザ，消毒剤，ローションなど）を吐出することがある。一部のディスペンサでは，メンテナンスの容易さ，環境問題などの理由で，詰め替え容器を用いる。詰め替え容器は，例えば，詰め替え容器からの物質を吐出するディスペンサで用いることができるポンプ及び／又はノズル機構を有し得る。
【０００４】
ディスペンサは，ユーザ検出タスク，詰め替え容器認証タスク，吐出タスクなどのような様々なタスクを実行するために，電源を利用することがある。一例では，ハンズフリーディスペンサは，電源としてバッテリを用いることができる。他の例では，ハンズフリーディスペンサは，電源として太陽電池パネルを用いることができる。ディスペンサが物質を吐出する能力は，ローバッテリ又はバッテリ切れ，機械的停止又は他の機械的障害，ポンプの詰まりなどのような様々な障害及び／又は他の問題による影響を受けることがある。
【発明の概要】
【０００５】
本概要は，以下の詳細な説明でさらに記載されるコンセプトの抜粋を簡略化した形で紹介するために提供される。本概要は，特許請求の対象の主要な要素又は本質的な特徴を明らかにするものではなく，また，特許請求の対象範囲を限定するために用いられるものでもない。
【０００６】
特に，物質吐出用ディスペンサについてのディスペンサの機能性を評価するための１つ以上のシステム及び／又は技術について，本明細書で提示する。一例では，ディスペンサの無負荷電気的特性を，測定することができる（例えば，ユーザがディスペンサのアクチュエータセンサを作動させるなどの，吐出事象の要求の検出に応えて，ディスペンサの電源の無負荷電圧を，測定することができる）。無負荷電気的特性が第１の無負荷閾値よりも高い（例えば，６Ｖのディスペンサの場合に，５．９Ｖの測定電圧が５．８Ｖの第１の閾値よりも高い）ことに応じて，その吐出事象を実行することができる（例えば，このディスペンサに関連付けられた詰め替え容器から，ソープなどの物質を吐出することができる）。無負荷電気的特性が第１の無負荷閾値と第２の無負荷閾値の間である（例えば，６Ｖのディスペンサの場合に，測定電圧が，５．８Ｖの第１の閾値と４．８Ｖの第２の閾値の間である）ことに応じて，この場合，吐出事象を実行すべきか，又は実行を控えるべきか判断するために，負荷電気的特性を測定し，これを負荷閾値に対して評価することができる。
【０００７】
吐出事象の様々な部分の実行中に，ピーク電流などの電気的特性を測定して，このディスペンサについてのディスペンサの機能性を評価するために用いることができる。一例では，吐出事象の第１の期間中の第１のピーク電流の評価に基づいて，機械的停止，歯車列の問題，アクチュエータの問題，ポンプの問題，及び／又は機械的障害などの，機械的な問題を認識することができる。他の例では，吐出事象の第２の期間中の第２のピーク電流の評価に基づいて，ポンプの詰まりを認識することができる。他の例では，吐出事象中に測定されたピーク電流測定基準（metric）及びピーク電流期間に基づいて，バッテリ寿命を確認することができる。他の例では，吐出事象中のピーク電流などの，ディスペンサの評価に基づいて，枯渇したポンプ（例えば，詰め替え容器の物質が空であることにより，物質が吐出されないときの吐出事象），リストリクタ及び／又はリストリクタのタイプ（例えば，リストリクタは，ディスペンサによって吐出される物質の量を低減するために，アクチュエータとポンプの係合を減らすように，アクチュエータとポンプとの間隙を増やすものである），トランジスタの動作性（例えば，モータ電流をフィルタリングするために使用される１つ以上のトランジスタが動作しているか否か），ポンプのタイプ（例えば，チェンバを備えた泡ポンプ，液体ポンプなど），及び／又はディスペンサの他の動作特性を認識することができる。このような動作特性，電気的特性，及び／又は測定基準は，吐出事象評価データとして保存することができ，これを，後に，ディスペンサの動作を評価するため，及び／又はディスペンサの評価に使用される閾値を調整するために，用いることができる。一例では，吐出事象評価データ，動作特性，電気的特性，及び／又は測定基準のサービス警報を，ネットワーク又は無線通信チャネルを介するなどして，（例えば，ディスペンサ監視アプリケーションインタフェース又はマップを介して表示するため，ディスペンサの無線通信範囲内のモバイルデバイスにＢｌｕｅｔｏｏｔｈ（登録商標）などによって無線伝送するため，など）コンピュータデバイスに提供することができる。
【０００８】
上記及び関連する目的を達成するため，以下の説明及び添付の図面で，いくつかの例示的な態様及び実施について記載する。これらは，１つ以上の態様を採用することができる様々な方法を示すものであるが，ただし，そのうちのほんのいくつかにすぎない。本開示の他の態様，効果，及び新規の特徴は，添付の図面を併用して考察される以下の詳細な説明から明らかになるであろう。
【図面の簡単な説明】
【０００９】
【図１】物質吐出用ディスペンサについてのディスペンサの機能性を評価する例示的な方法を示すフロー図である。
【図２】物質吐出用ディスペンサについてのディスペンサの機能性を評価するための例示的なシステムを示すコンポーネントブロック図である。
【図３】物質吐出用ディスペンサについてのディスペンサの機能性を評価するための例示的なシステムを示すコンポーネントブロック図である。
【図４】ディスペンサの評価に使用される１つ以上の閾値を維持するための例示的なシステムを示すコンポーネントブロック図である。
【図５】物質吐出用ディスペンサについてのディスペンサの機能性を評価する例示的な方法を示すフロー図である。
【図６】吐出事象中にディスペンサを評価するための例示的なシステムを示すコンポーネントブロック図である。
【図７Ａ】グラフの一例の図である。
【図７Ｂ】グラフの一例の図である。
【図８】物質吐出用ディスペンサについてのディスペンサの機能性を評価する例示的な方法を示すフロー図である。
【図９】本明細書に記載の規定のうち１つ以上を実現するように構成されたプロセッサ実行可能命令を含み得る例示的なコンピュータ可読媒体の図である。
【図１０】本明細書に記載の規定のうち１つ以上が実施され得る例示的なコンピューティング環境を示している。
【００１０】
詳細な説明
請求項に係る主題について図面を参照して以下で説明するが，このとき，類似の要素は，一般に，全体を通して同様の参照符号を用いて示している。以下の説明では，請求項に係る主題についての理解を与えるため，説明を目的として，様々な具体的で詳細に記載される。しかしながら，これら特定の詳細を省いても，請求項に係る主題を実施できることは明らかであろう。また，請求項に係る主題の説明を容易とするため，構造及びデバイスは，ブロック図の形式で示している。
【００１１】
物質吐出用ディスペンサについてのディスペンサの機能性を評価する一実施形態を，図１の例示的な方法１００で示している。この方法は１０２で開始する。ディスペンサは，物質を吐出する（例えば，詰め替え容器から，ソープなどの液体を吐出する）ように機能する各種コンポーネントを備えることができる。例えば，ディスペンサは，モータ，歯車列，アクチュエータ，電源，及び／又は他のコンポーネント（例えば，詰め替え容器に関連付けられるポンプ及び／又はディスペンサノズル）を備えることができる。このようなコンポーネントは，機械的障害，ポンプの詰まり，ローバッテリなどの障害が発生することがある。そこで，本明細書で提示するように，吐出事象の前及び／又は吐出事象中に，ディスペンサの機能性を評価する。このディスペンサの評価では，過去の吐出事象評価データ及び／又は時間的情報（例えば，吐出事象の最後の起動からの時間）を考慮に入れることができ，これにより，（例えば，吐出事象を実行する，吐出事象の実行を控える，警報を提供する，など）適切な処置をとることができる。
【００１２】
１０４で，ディスペンサの無負荷電気的特性を測定することができる。例えば，吐出事象の実行のためにユーザがディスペンサを作動させようと試みたことに応じて，電源の無負荷電圧を測定することができる。１０６で，無負荷電気的特性が第１の無負荷閾値よりも高いことに応じて（例えば，６Ｖのディスペンサの場合に，５．９Ｖの無負荷電圧が５．８Ｖの第１の無負荷閾値よりも高いことがある），吐出事象を実行することができる。１０８で，無負荷電気的特性が第１の無負荷閾値と第２の無負荷閾値の間であることに応じて（例えば，６Ｖのディスペンサの場合に，５．２Ｖの無負荷電圧が５．８Ｖの第１の無負荷閾値と４．９Ｖの第２の無負荷閾値の間であることがある），さらに追加事項を考慮に入れることができる。例えば，そのディスペンサについて，負荷電気的特性（例えば，駆動列，モータ，バッテリ，又は電流センス抵抗及び／又はトランジスタなどの別の負荷の，両端の負荷電流及び／又は負荷電圧）を測定することができる。負荷電気的特性が負荷閾値よりも高いことに応じて，吐出事象を実行する。負荷電気的特性が負荷閾値よりも低いことに応じて，吐出事象の実行を控える。一例では，警報（例えば，点滅光，デジタル画像メッセージ，ＲＦ信号，ネットワークを介した通信，及び／又は他の警報）を提供することができる。
【００１３】
一例では，そのディスペンサについてのディスペンサ動作データを特定するために，無負荷電気的特性及び／又は負荷電気的特性を，そのディスペンサについての前の吐出事象評価データに対して評価することができる。例えば，ディスペンサ動作データが，機械的停止又はポンプの詰まりを示している場合には，吐出事象の実行を控えることができる。他の例では，無負荷電流特性及び／又は負荷電流特性を評価するために，最後の吐出測定基準からの時間を特定及び／又は使用することができる。
【００１４】
一例では，第１の無負荷閾値，第２の無負荷閾値，及び／又は負荷閾値は，そのディスペンサについての吐出事象評価データ（例えば，無負荷電気的特性，負荷電気的特性，ピーク電流情報，及び／又はそのディスペンサについての前の評価から収集された他の情報）に基づいて調整することができる。例えば，閾値は，工場出荷時設定に，最初に設定されていることがある。閾値は，ディスペンサの性能に基づいて調整することができる（例えば，特定のディスペンサモデルは，相対的により高効率のバッテリ，歯車列，潤滑などを利用していることがある）。
【００１５】
吐出事象中に，ディスペンサの機能性を評価及び／又は記録することができる。一例では，吐出事象の第１の期間中に，第１のピーク電流を測定することができる（例えば，１秒の吐出事象の最初の０．２５秒の間に，１回以上の電流測定サンプリングからピーク電流又は平均電流測定値が導出される）。機械的停止，歯車列の問題，アクチュエータの問題，ポンプの問題，及び／又は機械的障害など，ディスペンサに関連した機械的な問題を認識するために，第１のピーク電流を評価することができる。一例では，機械的な問題の警報を提供することができる。一例では，機械的な問題に基づいて，吐出事象評価データを生成することができる。例えば，次の吐出事象を実行するかどうか決定するために，次の吐出事象の前及び／又は次の吐出事象中に，吐出事象評価データ及び／又は他の情報（例えば，前の吐出事象からの時間）を評価することができる。吐出事象評価データが，複数の問題を示している場合には，吐出すべきか否か判断するために，ファジー理論を実行することができる（例えば，バッテリ残量が比較的高く，かつ現在時刻の前の閾値時間量にわたってポンプの詰まりが検出された場合には，詰まりを取り除くために試しに吐出事象を実行することができる）。
【００１６】
他の例では，吐出事象の第２の期間中に，第２のピーク電流を測定することができる（例えば，１秒の吐出事象の最後の０．７５秒の間に，１回以上の電流測定サンプリングからピーク電流又は平均電流測定値が導出される）。ポンプの詰まりなど，ディスペンサに関連したポンプの問題を認識するために，第２のピーク電流を評価することができる。一例では，ポンプの問題の警報を提供することができる。一例では，ポンプの問題に基づいて，吐出事象評価データを生成することができる。例えば，次の吐出事象を実行するかどうか決定するために，次の吐出事象の前及び／又は次の吐出事象中に，吐出事象評価データ及び／又は他の情報（例えば，前の吐出事象からの時間）を評価することができる。
【００１７】
他の例では，吐出事象についての電流特性データを生成するために，ピーク電流測定基準及び／又はピーク電流期間測定基準を測定することができる（例えば，図７及び図８）。電流特性データに基づいて，吐出事象のバッテリ状態を確認することができる（例えば，相対的に低いピーク電流及び／又は相対的に長いピーク電流期間は，相対的に低いバッテリ残量を示していることがある）。バッテリ状態が吐出電力測定基準よりも低い（例えば，１５％未満のバッテリ残量である）ことに応じて，そのバッテリ状態に基づいて，吐出事象評価データを生成することができ，及び／又は警報を提供することができる。例えば，次の吐出事象を実行すべきか否か判断するために，吐出事象評価データを評価することができる。本方法は１１０で終了する。
【００１８】
図２は，物質吐出用ディスペンサ２０４についてのディスペンサの機能性を評価するためのシステム２００の一例を示している。ディスペンサ２０４は，物質（例えば，液状物質，粉状物質，エアゾール状物質，抗菌製品など）を収容した詰め替え容器を保持するように構成されたハウジング２０２を備えることができる。ハウジング２０２は，詰め替え容器からの物質を吐出する１つ以上のコンポーネントなど，ディスペンサ２０４の動作を助ける機械的及び／又は電気的な各種コンポーネントを収容することができる。一例では，ハウジング２０２は，アクチュエータ２１０，電源２１２，モータ２０６，駆動列２０８（例えば，歯車列），及び／又は他のコンポーネント（例えば，詰め替え容器に関連付けられるポンプ２１４及び／又はディスペンサノズル２１６）を収容することができる。電源２１２（例えば，バッテリ，ＡＣアダプタ，給電ネットワーク通信回線からの電力，など）は，アクチュエータ２１０，モータ２０６，及び／又は他のコンポーネントに電力を供給することができる。アクチュエータ２１０は，吐出要求を検出するように構成することができる（例えば，ユーザは作動センサの前方に手を持っていくことができる，ユーザは作動ボタン又はレバーを押すことができるなど）。アクチュエータ２１０は，駆動列２０８を動作させるために，モータ２０６を起動させるように構成することができ，これにより，ポンプ２１４で，詰め替え容器２０２からの物質を，ディスペンサノズル２１６を通して吐出させる。
【００１９】
システム２００は，吐出前評価コンポーネント２２０及び／又は履歴データリポジトリ２１８を備えることができる。吐出前評価コンポーネント２２０は，吐出事象の前に，電源２１２など，ディスペンサ２０４を評価するように構成することができる。例えば，吐出前評価コンポーネント２２０は，電源２１２の無負荷電圧など，ディスペンサ２０４の無負荷電気的特性を測定するように構成することができる。一例では，吐出前評価コンポーネント２２０は，履歴データリポジトリ２１８に保存されている吐出事象評価データ（例えば，最後の吐出からの時間，前の測定電圧，前の測定ピーク電流，前の警報，前の測定バッテリ残量など）に基づいて，無負荷電気的特性を評価することができる。他の例では，吐出前評価コンポーネント２２０は，無負荷電気的特性を，後のディスペンサ２０４の評価のために，履歴データリポジトリ２１８に保存することができる。無負荷電気的特性が第１の無負荷閾値よりも高いことに応じて，（例えば，アクチュエータ２１０によって吐出要求が検出されたことに応えて）吐出事象を実行することができる。無負荷電気的特性が第１の無負荷閾値と第２の無負荷閾値の間であることに応じて，ディスペンサ２０４のさらなる評価を実施することができる（例えば，図３）。
【００２０】
図３は，物質吐出用ディスペンサ２０４についてのディスペンサの機能性を評価するためのシステム３００の一例を示している。システム３００は，吐出前評価コンポーネント２２０を備えることができる。吐出前評価コンポーネント２２０は，ディスペンサ２０４の負荷電気的特性を測定するように構成することができる。例えば，吐出前評価コンポーネント２２０は，電流センス抵抗のような負荷３０２の両端の負荷電圧を測定することができる。一例では，吐出前評価コンポーネント２２０は，履歴データリポジトリ２１８に保存されている吐出事象評価データ（例えば，最後の吐出からの時間，前の測定電圧，前の測定ピーク電流，前の警報，前の測定バッテリ残量など）に基づいて，負荷電気的特性を評価することができる。他の例では，吐出前評価コンポーネント２２０は，負荷電気的特性を，後のディスペンサ２０４の評価のために，履歴データリポジトリ２１８に保存することができる。負荷電気的特性が負荷閾値よりも高いことに応じて，（例えば，アクチュエータ２１０によって吐出要求が検出されたことに応えて）吐出事象を実行することができる。負荷電気的特性が負荷閾値よりも低いことに応じて，吐出事象の実行を控えることができる。
【００２１】
図４は，ディスペンサ２０４の評価に使用される１つ以上の閾値を維持するためのシステム４００の一例を示している。システム４００は，吐出前評価コンポーネント２２０を備えることができる。吐出前評価コンポーネント２２０は，（例えば，６Ｖのディスペンサの場合に，約５．８Ｖであるような）第１の無負荷閾値，（例えば，６Ｖのディスペンサの場合に，約４．９Ｖであるような）第２の無負荷閾値，（例えば，６Ｖのディスペンサの場合に，約４．２Ｖであるような）負荷閾値，ピーク電流測定基準，ピーク電流期間，及び／又は他の閾値を用いて，ディスペンサ２０４の様々な局面を評価するように構成することができる。吐出前評価コンポーネント２２０は，履歴データリポジトリ２１８内の吐出事象評価データに基づいて，閾値を調整するように構成することができる。例えば，負荷閾値は，４．２Ｖに工場出荷時設定されることがある。吐出事象評価データは，ディスペンサ２０４が相対的に効率的である（例えば，駆動列２０８が，最近，相対的に効率的なモデルにアップグレードされたかもしれない）ことに起因して，ディスペンサ２０４が３．９Ｖのような４．２Ｖ未満の電圧で正常に動作してきたことを示している場合がある。従って，吐出前評価コンポーネント２２０は，今後のディスペンサ２０４の評価のために，負荷閾値を調整４０２するように構成することができる。
【００２２】
物質吐出用ディスペンサについてのディスペンサの機能性を評価する実施形態について，図５の例示的な方法５００によって説明する。この方法は５０２で開始する。５０４で，吐出事象の第１の期間中に，第１のピーク電流を測定することができる。５０６で，機械的停止，歯車列の問題，アクチュエータの問題，ポンプの問題，及び／又は機械的障害など，ディスペンサに関連した機械的な問題を認識するために，第１のピーク電流を評価することができる。例えば，ディスペンサ内で測定された電流が，予想よりも相対的に高いピーク値（例えば，１〜４アンペアの範囲を超える電流）に達したことを確認するために，第１のピーク電流を評価することができ，それは機械的な問題を示していることがある。一例では，機械的な問題の警報を提供することができる。
【００２３】
５０８で，吐出事象の第２の期間中に，第２のピーク電流を測定することができる。５１０で，ポンプの詰まりのようなポンプの問題を認識するために，第２のピーク電流を評価することができる。例えば，ディスペンサ内で測定された電流が，予想よりも相対的に高いピーク値に達したこと，及び／又は予想よりも相対的に長い持続時間にわたって相対的に高いピーク値に維持されていること，を確認するために，第２のピーク電流を評価することができ，それはポンプの詰まりを示していることがある。一例では，ポンプの問題の警報を提供することができる。本方法は５１６で終了する。
【００２４】
図６は，吐出事象中にディスペンサ２０４を評価するためのシステム６００の一例を示している。一例では，ディスペンサ２０４は，ユーザが手６０４でアクチュエータ２１０を作動させたことに応じて，吐出事象を開始させる。吐出事象中は，電源２１２で，駆動列２０８を駆動するモータ２０６に電力を供給することができ，これにより，ポンプ２１４で，ディスペンサノズル２１６を通して物質６０２をユーザの手６０４の中に吐出させる。システム６００は，吐出評価コンポーネント６０６及び／又は履歴データリポジトリ２１８を備えることができる。吐出評価コンポーネント６０６は，第１の期間中（例えば，吐出事象の最初の４分の１），第２の期間中（例えば，吐出事象の最後の４分の３）など，吐出事象の様々な部分の実行中に，電流測定値６０８を取得するように構成することができる。ポンプ２１４のポンプ問題，モータ２０６の機械的停止，駆動列２０８の駆動列問題，アクチュエータ２１０のアクチュエータ問題，機械的障害，及び／又は他の問題などの問題が存在するかどうか確認するために，電流測定値６０８を，様々なピーク電流閾値及び／又は予想電流曲線（例えば，図７及び図８）に対して評価することができる。一例では，吐出評価コンポーネント６０６は，電流測定値６０８を，履歴データリポジトリ２１８内の吐出事象評価データに対して評価する（例えば，問題は単発的なものであるか，又は傾向的な問題であるか，警告を発するべきかどうか，閾値を調整すべきかどうか，吐出事象を実行すべきか，又は実行を控えるべきか，などの判断のために，前の電流測定値及び／又は最後の吐出からの時間を評価する）ように構成することができる。一例では，吐出評価コンポーネント６０６は，電流測定値６０８を，後のディスペンサ２０４の評価のために，履歴データリポジトリ２１８に保存することができる。
【００２５】
図７Ａは，時間軸７０６と電流軸７０８を有するグラフ７００の一例を示している。予想電流曲線７０２は，正常な吐出事象の様々な部分の実行中に予想され得る電流値に相当し得る。例えば，ピーク電流範囲は，点７０２ａから点７０２ｂまで及び得る。一例では，測定電流曲線７０４は，吐出事象中に測定された電流値に相当し得る。例えば，測定ピーク電流範囲は，点７０４ａから点７０４ｂまで及び得る。ディスペンサが期待通りに機能しているか，又は問題が生じているかどうか確認するために，測定電流曲線７０４を予想電流曲線７０２に対して評価することができる。例えば，測定電流曲線７０４が予想電流曲線７０２よりも相対的に低いピーク電流を有することに基づいて，及び／又は点７０４ａと点７０４ｂの間の測定ピーク電流範囲が点７０２ａと点７０２ｂの間の予想ピーク電流範囲よりも相対的に長い持続時間を有することに基づいて，ローバッテリ状態を確認することができる。このようにして，測定電流曲線７０４を予想電流曲線７０２に対して比較することにより，ディスペンサを評価することができる。
【００２６】
図７Ｂは，時間軸７５６と電流軸７５８を有するグラフ７５０の一例を示している。予想電流曲線７０２は，正常な吐出事象の様々な部分の実行中に予想され得る電流値に相当し得る。例えば，ピーク電流範囲は，点７０２ａから点７０２ｂまで及び得る。一例では，測定電流曲線７５４は，吐出事象中に測定された電流値に相当し得る。例えば，測定ピーク電流範囲は，点７５４ａから点７５４ｂまで及び得る。ディスペンサが期待通りに機能しているか，又は問題が生じているかどうか確認するために，測定電流曲線７５４を予想電流曲線７０２に対して評価することができる。例えば，点７５４ａと点７５４ｂの間の測定ピーク電流範囲が点７０２ａと点７０２ｂの間の予想ピーク電流範囲よりも相対的に長い持続時間を有することに基づいて，機械的停止の問題（例えば，モータの停止）を確認することができる。このようにして，測定電流曲線７５４を予想電流曲線７０２に対して比較することにより，ディスペンサを評価することができる。
【００２７】
物質吐出用ディスペンサについてのディスペンサの機能性を評価する実施形態について，図８の例示的な方法８００によって説明する。この方法は８０２で開始する。８０４で，ディスペンサの無負荷電圧に基づいて，ディスペンサの吐出事象についての予想電流を決定することができる。例えば，ディスペンサのモータがオフのときに（例えば，ディスペンサが吐出事象の実行中ではないときに），無負荷バッテリ電圧を取得することができる。正常な吐出事象（例えば，詰まり，枯渇したポンプ，機械的障害，歯車列の問題などがないような，問題のない吐出事象）でモータが引き込むべき正常ピーク電流を特定するために，傾き切片型一次関数（slope-intercept function）に基づいて無負荷電圧を評価することができる。無負荷電圧に基づいて予想電流を決定するために，傾き切片型一次関数では，モータ負荷，バッテリ内部抵抗，及び／又は他の情報を考慮に入れることができる。８０６で，ディスペンサの現在の吐出事象の電流測定値を取得することができる。例えば，電流測定値は，ピーク電流，電流測定曲線，などを含み得る。
【００２８】
８０８で，ディスペンサの動作特性を確認するために，電流測定値を予想電流に対して評価することができる。一例では，電流測定値が予想電流よりも低い場合に，その動作特性は，より多くの電流を使用したであろうディスペンサが物質を送出する必要があった場合よりも少ない電流が枯渇したポンプに使用されたという理由で，物質がない枯渇したポンプが生じたことを示している場合がある。枯渇したポンプは，ディスペンサが物質を吐出しなかったという理由で，ディスペンサの詰め替え容器が空であることを示している場合がある。他の例では，その動作特性は，液体ポンプ，泡ポンプなどのような，ディスペンサで使用するポンプのタイプを示していることがある。例えば，空気室及び／又は液体室のようなチェンバを備えた泡ポンプを有するディスペンサは，そのようなチェンバを備えない液体ポンプよりも，多くの電流を引き込むことがある（例えば，チェンバによる機能を果たすために，追加の電流を引き込むことがある）。
【００２９】
他の例では，その動作特性は，ディスペンサで，ディスペンサのアクチュエータに対してリストリクタを使用しているかどうかを示していることがある。ディスペンサがリストリクタを備えていない場合は，アクチュエータは，起動されたときにアクチュエータが直ちにポンプと係合し得るように位置決めされることができ，この場合，電流測定曲線は，作動の開始に対応して，アクチュエータが直ちにポンプと係合し得る結果として電流を引き込むことによる電流の初期増加を有し得る。ディスペンサが，アクチュエータに対してリストリクタを備える場合は，起動されたときにリストリクタが直ちにポンプと係合しないように，リストリクタを位置決めすることができ（例えば，アクチュエータに対してユーザが押圧することで，直ちにリストリクタがポンプに対して押圧されないことで，ディスペンサが１回の作動でより少ない物質を吐出し得るように，リストリクタとポンプとの間に，１インチ又は他の任意の量のデッドスペースを設けることができ），この場合，電流の初期増加は，リストリクタが最終的にポンプと係合した後に発生するので，電流測定曲線は，全くかほとんど電流の引き込みがない遅延又は平坦部を有し得る。リストリクタのタイプは，電流測定曲線の遅延又は平坦部の長さに基づいて識別することができる。
【００３０】
他の例では，その動作特性は，ディスペンサ内の１つ以上のトランジスタ（例えば，電界効果トランジスタ）の動作状態（例えば，正常動作，破損，仕様外の動作，など）に対応していることがある。例えば，ディスペンサは，モータと直列に，第１のトランジスタ（例えば，ハイサイドトランジスタ）と第２のトランジスタ（例えば，ローサイドトランジスタ）を備えることができる。一例では，第１のトランジスタと第２のトランジスタの間のジャンクションに，コンデンサを配置することができる（例えば，コンデンサは，トランジスタの一方と並列にすることができ，接地に短絡させることができる）。コンデンサは，モータ電流をフィルタリングするために用いることができる。一例では，コンデンサは接地にプルダウンされるか，又は充電電圧を有するかどうか確認するために，第２のトランジスタ（例えば，ローサイドトランジスタ）をオンにすることによって，第１のトランジスタ（例えば，ハイサイドトランジスタ）を試験することができる。他の例では，コンデンサは充電電圧に充電されるか，又はコンデンサは第２のトランジスタによって接地にプルダウンされるかどうか確認するために，第１のトランジスタ（例えば，ハイサイドトランジスタ）をオンにすることによって，第２のトランジスタ（例えば，ローサイドトランジスタ）を試験することができる。
【００３１】
一例では，その動作特性に基づいて，サービス警報を生成することができる。サービス警報は，ネットワークを介して（例えば，イーサネット接続，ＷｉＦｉ接続などを介して）コンピュータデバイスに送信することができ，又は，無線通信信号（例えば，モバイルデバイスへのＢｌｕｅｔｏｏｔｈ(登録商標)接続）を用いてコンピュータデバイスに提供することができる。サービス警報は，ウェブサイト（例えば，ディスペンサ監視ウェブサイト）で，ディスペンサを表すディスペンサユーザインタフェース要素が表示される（例えば，サービス警報を示すために，ディスペンサユーザインタフェース要素の色又はサイズなどの表示特性を変更することができる，ユーザがディスペンサユーザインタフェース要素を選択したことに応じて，サービス警報のテキスト表現を提示することができる，など）マップで，さらに／又はアプリケーションユーザインタフェース（例えば，ディスペンサ監視アプリケーション）で，表示することができる。本方法は８１２で終了する。
【００３２】
さらに別の実施形態は，本明細書で提示される技術の１つ以上を実現するように構成されたプロセッサ実行可能命令を含むコンピュータ可読媒体に関する。コンピュータ可読媒体又はコンピュータ可読装置の例示的な実施形態を図９に示しており，この場合の実現形態９００は，ＣＤ−Ｒ，ＤＶＤ−Ｒ，フラッシュドライブ，ハードディスクドライブのプラッタなどのようなコンピュータ可読媒体９０８を含み，その上にコンピュータ可読データ９０６が符号化されている。０又は１の少なくとも一方を含むバイナリデータのような，このコンピュータ可読データ９０６は，これにより，本明細書に記載の原理の１つ以上に従って動作するように構成されたコンピュータ命令９０４のセットを構成している。いくつかの実施形態において，プロセッサ実行可能コンピュータ命令９０４は，例えば，図１の例示的な方法１００の少なくとも一部，図５の例示的な方法５００の少なくとも一部，及び／又は図８の例示的な方法８００の少なくとも一部などの方法９０２を実行するように構成されている。いくつかの実施形態において，プロセッサ実行可能命令９０４は，例えば，図２の例示的なシステム２００の少なくとも一部，図３の例示的なシステム３００の少なくとも一部，図４の例示的なシステム４００の少なくとも一部，図６の例示的なシステム６００の少なくとも一部などのシステムを実現するように構成されている。本明細書で提示される技術に従って動作するように構成された，多くのこのようなコンピュータ可読媒体が，当業者によって考案される。
【００３３】
主題について，構造的特徴及び／又は方法論的動作に特化した表現で説明したが，添付の請求項で規定される主題は，上記の特定の特徴又は動作に必ずしも限定されないことは理解されるべきである。むしろ，上記の具体的な特徴及び動作は，請求項の少なくとも一部を実現する例示的形態として開示している。
【００３４】
本出願で使用される場合の，「コンポーネント」，「モジュール」，「システム」，「インタフェース」という用語，及び／又は類似の用語は，一般的に，ハードウェア，ハードウェアとソフトウェアの組み合わせ，ソフトウェア，又は実行中のソフトウェアのいずれかであるコンピュータ関連エンティティを指すものである。例えば，コンポーネントは，プロセッサ上で動作するプロセス，プロセッサ，オブジェクト，実行ファイル，実行スレッド，プログラム，及び／又はコンピュータであり得るが，ただし，これらに限定されない。例として，コントローラ上で動作するアプリケーションと，コントローラは，どちらもコンポーネントであり得る。１つ以上のコンポーネントを，１つのプロセス及び／又は実行スレッドに含むことができ，１つのコンポーネントを，１つのコンピュータ上に局在化させること，及び／又は２つ以上のコンピュータに分散させることができる。
【００３５】
また，開示の主題を実現するようにコンピュータを制御するソフトウェア，ファームウェア，ハードウェア，又はそれらの任意の組み合わせを生成するために標準的なプログラミング及び／又は工学技術を用いて，請求項に係る主題を，方法，装置，又は製造品として実現することができる。本明細書で使用される場合の「製造品」という用語は，任意のコンピュータ可読装置，キャリア，又は媒体からアクセス可能なコンピュータプログラムを包含するものである。当然のことながら，本構成に対して，請求項に係る主題の範囲又は趣旨から逸脱することなく，数多くの変更を実施することができる。
【００３６】
図１０及び以下の解説は，本明細書に記載の規定のうちの１つ以上の実施形態を実施するのに適したコンピューティング環境についての簡単な概要を提示している。図１０の動作環境は，適切な動作環境の一例にすぎず，その動作環境の利用範囲又は機能に関して何らかの限定を示唆するものではない。コンピュータデバイスの例として，パーソナルコンピュータ，サーバコンピュータ，ハンドヘルド又はラップトップデバイス，モバイルデバイス（携帯電話機，パーソナルデジタルアシスタント（ＰＤＡ），メディアプレーヤなど），マルチプロセッサシステム，家庭用電子機器，ミニコンピュータ，メインフレームコンピュータ，上記のシステム又はデバイスのいずれかを含む分散コンピューティング環境などが含まれるが，ただし，これらに限定されない。
【００３７】
実施形態は，１つ以上のコンピュータデバイスで実行される「コンピュータ可読命令」という一般的文脈において説明されるものの，これは必須ではない。コンピュータ可読命令は，（後述の）コンピュータ可読媒体によって分散させることができる。コンピュータ可読命令は，特定のタスクを実行するか，又は特定の抽象データ型を実現する関数，オブジェクト，アプリケーションプログラミングインタフェース（ＡＰＩ），データ構造などのようなプログラムモジュールとして実現することができる。一般に，コンピュータ可読命令の機能は，様々な環境における要求に応じて，統合又は分散させることができる。
【００３８】
図１０は，本明細書で提示する１つ以上の実施形態を実施するために構成されたコンピュータデバイス１０１２を備えるシステム１０００の一例を示している。一構成では，コンピュータデバイス１０１２は，少なくとも１つの処理装置１０１６及びメモリ１０１８を備える。コンピュータデバイスの厳密な構成及びタイプに応じて，メモリ１０１８は，（例えば，ＲＡＭのような）揮発性，（例えば，ＲＯＭ，フラッシュメモリなどのような）不揮発性，又はこれら２つの何らかの組み合わせとすることができる。この構成を，図１０に破線１０１４で示している。
【００３９】
他の実施形態では，デバイス１０１２は，さらに追加の特徴及び／又は機能を備えることができる。例えば，デバイス１０１２は，さらに，追加の（例えば，リムーバブル及び／又は非リムーバブル）記憶装置を備えることができ，それには，磁気記憶装置，光学記憶装置などが含まれるが，ただし，これらに限定されない。このような追加の記憶装置を，図１０に記憶装置１０２０で示している。一実施形態では，本明細書で提示する１つ以上の実施形態を実施するためのコンピュータ可読命令は，記憶装置１０２０内にあってよい。記憶装置１０２０は，さらに，オペレーティングシステム，アプリケーションプログラムなどを実現するための他のコンピュータ可読命令を記憶することもできる。コンピュータ可読命令は，例えば，処理装置１０１６で実行するためにメモリ１０１８にロードすることができる。
【００４０】
本明細書で使用される場合の「コンピュータ可読媒体」という用語は，コンピュータ記憶媒体を含む。コンピュータ記憶媒体として，コンピュータ可読命令又は他のデータなどの情報を記憶するための任意の方法もしくは技術で実現される揮発性及び不揮発性，リムーバブル及び非リムーバブルの媒体が含まれる。メモリ１０１８及び記憶装置１０２０は，コンピュータ記憶媒体の例である。コンピュータ記憶媒体として，ＲＡＭ，ＲＯＭ，ＥＥＰＲＯＭ，フラッシュメモリもしくは他のメモリ技術，ＣＤ−ＲＯＭ，デジタル多用途ディスク（ＤＶＤ）もしくは他の光学記憶装置，磁気カセット，磁気テープ，磁気ディスク記憶装置もしくは他の磁気記憶装置，又は所望の情報を記憶するのに用いることができ，デバイス１０１２によるアクセスが可能な他の任意の媒体が含まれるが，ただし，これらに限定されない。このようなコンピュータ記憶媒体は，いずれも，デバイス１０１２の一部とすることができる。
【００４１】
デバイス１０１２は，さらに，デバイス１０１２が他のデバイスと通信することを可能とする通信接続（群）１０２６を有することができる。通信接続（群）１０２６として，モデム，ネットワークインタフェースカード（ＮＩＣ），統合ネットワークインタフェース，無線周波数送信機／受信機，赤外線ポート，ＵＳＢ接続，又はコンピュータデバイス１０１２を他のコンピュータデバイスに接続するための他のインタフェースを含むことができるが，ただし，これらに限定されない。通信接続（群）１０２６は，有線接続又は無線接続を含むことができる。通信接続（群）１０２６によって，通信媒体を送信及び／又は受信することができる。
【００４２】
「コンピュータ可読媒体」という用語は，通信媒体を含み得る。通信媒体は，一般に，コンピュータ可読命令又は他のデータを，搬送波又は他の転送機構などの「変調データ信号」に表現するものであり，また，任意の情報配信媒体を含む。「変調データ信号」という用語は，その信号に情報を符号化するように，その特性の１つ以上が設定又は変更された信号を含み得る。
【００４３】
デバイス１０１２は，キーボード，マウス，ペン，音声入力装置，タッチ入力装置，赤外線カメラ，ビデオ入力装置，及び／又は他の任意の入力装置などの入力装置（群）１０２４を備えることができる。さらに，１つ以上のディスプレイ，スピーカ，プリンタ，及び／又は他の任意の出力装置などの出力装置（群）１０２２を，デバイス１０１２に備えることができる。入力装置（群）１０２４及び出力装置（群）１０２２は，有線接続，無線接続，又はそれらの任意の組み合わせによって，デバイス１０１２に接続することができる。一実施形態では，他のコンピュータデバイスからの入力装置又は出力装置を，コンピュータデバイス１０１２のための入力装置（群）１０２４又は出力装置（群）１０２２として使用することができる。
【００４４】
コンピュータデバイス１０１２のコンポーネントは，バスなどの種々の相互接続によって接続することができる。そのような相互接続として，ＰＣＩ  Ｅｘｐｒｅｓｓのようなペリフェラルコンポーネントインタコネクト（ＰＣＩ），ユニバーサルシリアルバス（ＵＳＢ），ＦｉｒｅＷｉｒｅ（ＩＥＥＥ  １３９４），光バス構造などを含むことができる。他の実施形態では，コンピュータデバイス１０１２のコンポーネントは，ネットワークによって相互接続することができる。例えば，メモリ１０１８は，ネットワークで相互接続された物理的に異なる場所に配置された複数の物理メモリユニットで構成することができる。
【００４５】
コンピュータ可読命令を記憶するために使用される記憶装置を，ネットワーク上に分散させてもよいことは，当業者であれば理解できるであろう。例えば，ネットワーク１０２８を介してアクセス可能なコンピュータデバイス１０３０で，本明細書で提示する１つ以上の実施形態を実施するためのコンピュータ可読命令を記憶することができる。コンピュータデバイス１０１２は，コンピュータデバイス１０３０にアクセスして，コンピュータ可読命令の一部又は全部を，実行のためにダウンロードすることができる。あるいは，コンピュータデバイス１０１２は，必要に応じて，コンピュータ可読命令の断片をダウンロードすることができ，又は，一部の命令はコンピュータデバイス１０１２で実行し，一部の命令はコンピュータデバイス１０３０で実行することができる。
【００４６】
いくつかの実施形態の様々なオペレーションを，本明細書で提示している。一実施形態では，記載したオペレーションの１つ以上で，１つ以上のコンピュータ可読媒体に記憶されるコンピュータ可読命令を構成することができ，それらは，コンピュータデバイスで実行されることで，該コンピュータデバイスに，記載のオペレーションを実行させる。それらのオペレーションの一部又は全部について記載された順序は，それらのオペレーションが必ず順序に依存することを意味するものと解釈されてはならない。他の順序で，本記載の効果を得られることは，当業者であれば理解できるであろう。また，全てのオペレーションが，本明細書で提示した各実施形態に必ずしも含まれるわけではないことは理解されるであろう。さらに，一部の実施形態では，全てのオペレーションが必要なわけではないことも理解されるであろう。
【００４７】
また，「第１」，「第２」，及び／又は類似の用語は，別段の規定がある場合を除き，時間的側面，空間的側面，順序などを意味するものではない。むしろ，これらの用語は，特徴，要素，アイテムなどの，単なる識別子，名称などとして使用される。例えば，第１のオブジェクトと第２のオブジェクトは，一般的に，オブジェクトＡとオブジェクトＢ，又は２つの異なるもしくは２つの同等のオブジェクト，又は１つの同じオブジェクトに相当する。
【００４８】
また，本明細書で使用される場合の「例示的」とは，必ずしも効果的なものとしてではなく，一例，実例，説明などとして役立つことを意味する。本明細書で使用される場合の「又は」は，排他的な「又は」ではなく，包含的な「又は」を意味するものである。さらに，本出願で使用される場合の「ａ」及び「ａｎ」は，別段の規定がある場合，又は単数形を指していることが文脈から明らかである場合を除き，一般的には，「１つ又は複数」を意味するものと解釈される。また，「ＡとＢの少なくとも一方」，及び／又は類似の表現は，一般に，「Ａ又はＢ」を意味するか，又は「ＡとＢの両方」を意味する。さらに，「含む（includes）」，「有している（having）」，「有する（has）」，「有して（with）」，及び／又はこれらの変化形は，詳細な説明又は請求項のいずれかで使用される限りにおいて，これらの用語は，「備えている（comprising）」という用語と同様に包含的な意味のものである。
【００４９】
また，本開示について，１つ以上の実現形態に関連して図示及び説明したが，他の当業者は，本明細書及び添付の図面を読解及び理解することで，均等な変更及び変形に想到するであろう。本開示は，かかるすべての変形及び変更を含むものであり，以下の請求項の範囲によってのみ限定される。特に上記のコンポーネント（例えば，要素，リソースなど）によって実行される種々の機能に関して，かかるコンポーネントを記述するために使用される用語は，特に指定のない限り，開示の構造と構造的に等価ではなくても，記載のコンポーネントの特定の機能を実行する（例えば，機能的に等価である）任意のコンポーネントに該当するものとする。さらに，本開示の特定の特徴が，いくつかの実現形態のうちの１つのみに関して開示されていることがあるものの，かかる特徴は，要求に応じて，所与又は特定の用途に効果的であり得るように，その他の実現形態における１つ以上の他の特徴と組み合わせることができる。
【図１】
2017507775.tif 000003
【図２】
2017507775.tif 000004
【図３】
2017507775.tif 000005
【図４】
2017507775.tif 000006
【図５】
2017507775.tif 000007
【図６】
2017507775.tif 000008
【図７Ａ】
2017507775.tif 000009
【図７Ｂ】
2017507775.tif 000010
【図８】
2017507775.tif 000011
【図９】
2017507775.tif 000012
【図１０】
2017507775.tif 000013
【国際調査報告】
2017507775.tif 000014
2017507775.tif 000015